(57)【要約】【課題】従動体側に生じるバックラッシュを確実に防止しつつ、従動体が停止後でも、直ぐに、役物を可動させることができる遊技機のゼネバ機構および遊技機における役物ユニットを提供すること。【解決手段】遊技機１のゼネバ機構２０は、ベース３０と、円弧面４６ａを有する扇状の駆動カム４６を備え、ベース３０に枢着された駆動体４０と、駆動カム４６の円弧面４６ａに接触可能な接触面５６ａを有する従動カム５６を備え、駆動体４０の回転に対して間欠に従動的に回転するようにベース３０に枢着された従動体５０とから成っている。この円弧面４６ａと接触面５６ａとは、その接触時において、その周方向の接触距離が長くまたはその周方向の接触箇所が成す角度が大きくなるように形成されている。この接触面５６ａにおける周方向において、その両縁を除いた中央部は、駆動カム４６の円弧面４６ａが接触することがないように窪み５６ｂ状に形成されている。【選択図】図７
2015223332.tif 000002
【特許請求の範囲】
【請求項１】
ベースと、
円弧面を有する扇状の駆動カムを備え、ベースに枢着された駆動体と、
駆動カムの円弧面に接触可能な接触面を有する従動カムを備え、駆動体の回転に対して間欠に従動的に回転するようにベースに枢着された従動体と、から成っている遊技機のゼネバ機構であって、
駆動カムの円弧面と従動カムの接触面とは、その接触時において、その周方向の接触距離が長くまたはその周方向の接触箇所が成す角度が大きくなるように形成されており、
従動カムの接触面における周方向において、その両縁を除いた中央部は、駆動カムの円弧面が接触することがないように窪み状に形成されていることを特徴とする遊技機のゼネバ機構。
【請求項２】
請求項１に記載の遊技機のゼネバ機構であって、
駆動体と従動体との回転比は、ｎ：１となっており、ｎは整数となっていることを特徴とする遊技機のゼネバ機構。
【請求項３】
請求項２に記載の遊技機のゼネバ機構であって、
従動体の回転の軸には、ケーブル部材を通し可能な貫通孔が形成されていることを特徴とする遊技機のゼネバ機構。
【請求項４】
請求項１〜３のいずれかに記載の遊技機のゼネバ機構であって、
従動カムの接触面は、円弧状に形成されていることを特徴とする遊技機のゼネバ機構。
【請求項５】
請求項１〜３のいずれかに記載の遊技機のゼネバ機構であって、
従動カムの接触面は、直線状に形成されていることを特徴とする遊技機のゼネバ機構。
【請求項６】
ベースと、
円弧面を有する扇状の駆動カムを備え、ベースに枢着された駆動体と、
駆動カムの円弧面に接触可能な接触面を有する従動カムを備え、駆動体の回転に対して間欠に従動的に回転するようにベースに枢着された従動体と、から成っているゼネバ機構と、
駆動体を回転させる駆動手段と、
従動体に組み付けられる役物と、から成っている遊技機における役物ユニットであって、
駆動カムの円弧面と従動カムの接触面とは、その接触時において、その周方向の接触距離が長くまたはその周方向の接触箇所が成す角度が大きくなるように形成されており、
従動カムの接触面における周方向において、その両縁を除いた中央部は、駆動カムの円弧面が接触することがないように窪み状に形成されていることを特徴とする遊技機における役物ユニット。
【請求項７】
請求項６に記載の遊技機における役物ユニットであって、
駆動体と従動体との回転比は、ｎ：１となっており、ｎは整数となっていることを特徴とする遊技機における役物ユニット。
【請求項８】
請求項７に記載の遊技機における役物ユニットであって、
従動体の回転の軸には、ケーブル部材を通し可能な貫通孔が形成されていることを特徴とする遊技機における役物ユニット。
【請求項９】
請求項６〜８のいずれかに記載の遊技機における役物ユニットであって、
従動カムの接触面は、円弧状に形成されていることを特徴とする遊技機における役物ユニット。
【請求項１０】
請求項６〜８のいずれかに記載の遊技機における役物ユニットであって、
従動カムの接触面は、直線状に形成されていることを特徴とする遊技機における役物ユニット。
【発明の詳細な説明】
【技術分野】
【０００１】
本発明は、遊技機のゼネバ機構および遊技機における役物ユニットに関する。
【背景技術】
【０００２】
従来、パチンコ機等の遊技機には、大当たりの抽選中における液晶パネルの演出効果を高めるための役物ユニットが設けられている。このような役物ユニットの役物は、一般的に、可動するものであり、例えば、液晶パネルの演出の度合い（大当たりの期待値の高さの度合い）に応じて、遊技盤の内部の待機位置からモータ等の駆動手段によって遊技盤の盤面の使用位置に可動するものとなっている。そのため、この役物が停止したときのバックラッシュを防ぐために、これら待機位置や使用位置において、この役物をロックさせる必要がある。ここで、下記特許文献１には、ゼネバ機構を利用して、停止した役物をロックさせる技術が開示されている。これにより、役物ユニットに、別途に、ロック機構を必要としなくても、停止した役物のバックラッシュを防ぐことができる。したがって、役物ユニットに必要な部品点数を削減できる。
【先行技術文献】
【特許文献】
【０００３】
【特許文献１】特開２００８−３５９７６号公報
【発明の概要】
【発明が解決しようとする課題】
【０００４】
しかしながら、上述した特許文献１の技術では、停止した役物のバックラッシュを確実に防ぐために、ゼネバ機構において、駆動体（例えば、駆動ギヤ）の駆動カムの円弧面と従動体（例えば、従動ギヤ）の従動カムの円弧面との円弧の周方向の距離を長く確保しておかなければいけなかった。そのため、停止した役物を再可動させるとき、駆動体を再回転させても、直ぐに、駆動体の駆動カムの円弧面が従動体の従動カムの円弧面から離脱できずにいた。したがって、直ぐに、従動体が再回転しないため、結果として、役物の再可動に時間を要することとなっていた。
【０００５】
本発明は、このような課題を解決しようとするもので、その目的は、従動体側に生じるバックラッシュを確実に防止しつつ、従動体が停止後でも、直ぐに、役物を可動させることができる遊技機のゼネバ機構および遊技機における役物ユニットを提供することである。
【課題を解決するための手段】
【０００６】
本発明は、上記の目的を達成するためのものであって、以下のように構成されている。
請求項１に記載の発明は、ベースと、円弧面を有する扇状の駆動カムを備え、ベースに枢着された駆動体と、駆動カムの円弧面に接触可能な接触面を有する従動カムを備え、駆動体の回転に対して間欠に従動的に回転するようにベースに枢着された従動体と、から成っている遊技機のゼネバ機構である。駆動カムの円弧面と従動カムの接触面とは、その接触時において、その周方向の接触距離が長くまたはその周方向の接触箇所が成す角度が大きくなるように形成されている。従動カムの接触面における周方向において、その両縁を除いた中央部は、駆動カムの円弧面が接触することがないように窪み状に形成されている。
【０００７】
請求項１に記載の発明によれば、駆動カムの円弧面と従動カムの接触面とは、その接触時において、その周方向の接触距離が長くまたはその周方向の接触箇所が成す角度が大きくなるように形成されている。そのため、従動体側に生じるバックラッシュを確実に防ぐことができる。また、従動体の接触面における周方向において、その両縁を除いた中央部は、駆動体の駆動カムの円弧面が接触することがないように窪み状に形成されている。そのため、駆動体の駆動カムの円弧面が従動体の従動カムの接触面から離脱した後でも、この従動体に駆動体の駆動カムの円弧面の端が干渉することがない。したがって、例えば、駆動体に形成されている歯が従動体に形成されている歯に接触すると（歯と歯とが噛み合うと）、直ぐに、従動体も回転し始める。したがって、直ぐに、役物を回転させることができる。
【０００８】
また、請求項２に記載の発明は、請求項１に記載の遊技機のゼネバ機構であって、駆動体と従動体との回転比は、ｎ：１となっており、ｎは整数となっている。
【０００９】
請求項２に記載の発明によれば、駆動体より従動体の外径を大きくできる。
【００１０】
また、請求項３に記載の発明は、請求項２に記載の遊技機のゼネバ機構であって、従動体の回転の軸には、ケーブル部材を通し可能な貫通孔が形成されている。
【００１１】
請求項３に記載の発明によれば、ケーブル部材を貫通孔に貫通させることができる。そのため、役物に対する電源や電気信号を供給する配索ルートの見栄えを向上させることができる。
【００１２】
また、請求項４に記載の発明は、請求項１〜３のいずれかに記載の遊技機のゼネバ機構であって、従動カムの接触面は、円弧状に形成されている。
【００１３】
請求項４に記載の発明によれば、例えば、この従動体の従動カムの接触面が直線状に形成されている場合と比較すると、駆動体の駆動カムの円弧面と従動体の従動カムの接触面との接触距離を長くできる。したがって、この従動体側のバックラッシュをより確実に防ぐことができる。
【００１４】
また、請求項５に記載の発明は、請求項１〜３のいずれかに記載の遊技機のゼネバ機構であって、従動カムの接触面は、直線状に形成されている。
【００１５】
請求項５に記載の発明によれば、例えば、この従動体の従動カムの接触面が円弧状に形成されている場合と比較すると、円弧より直線の方が精度を必要としないため、この接触面を簡便に形成できる。
【００１６】
また、請求項６に記載の発明は、ベースと、円弧面を有する扇状の駆動カムを備え、ベースに枢着された駆動体と、駆動カムの円弧面に接触可能な接触面を有する従動カムを備え、駆動体の回転に対して間欠に従動的に回転するようにベースに枢着された従動体と、から成っているゼネバ機構と、駆動体を回転させる駆動手段と、従動体に組み付けられる役物と、から成っている遊技機における役物ユニットである。駆動カムの円弧面と従動カムの接触面とは、その接触時において、その周方向の接触距離が長くまたはその周方向の接触箇所が成す角度が大きくなるように形成されている。従動カムの接触面における周方向において、その両縁を除いた中央部は、駆動カムの円弧面が接触することがないように窪み状に形成されている。
【００１７】
請求項６に記載の発明によれば、遊技機における役物ユニットにおいて、請求項１と同様の作用効果を得ることができる。
【００１８】
また、請求項７に記載の発明は、請求項６に記載の遊技機における役物ユニットであって、駆動体と従動体との回転比は、ｎ：１となっており、ｎは整数となっている。
【００１９】
請求項７に記載の発明によれば、遊技機における役物ユニットにおいて、請求項２と同様の作用効果を得ることができる。
【００２０】
また、請求項８に記載の発明は、請求項７に記載の遊技機における役物ユニットであって、従動体の回転の軸には、ケーブル部材を通し可能な貫通孔が形成されている。
【００２１】
請求項８に記載の発明によれば、遊技機における役物ユニットにおいて、請求項３と同様の作用効果を得ることができる。
【００２２】
また、請求項９に記載の発明は、請求項６〜８のいずれかに記載の遊技機における役物ユニットであって、従動カムの接触面は、円弧状に形成されている。
【００２３】
請求項９に記載の発明によれば、遊技機における役物ユニットにおいて、請求項４と同様の作用効果を得ることができる。
【００２４】
また、請求項１０に記載の発明は、請求項６〜８のいずれかに記載の遊技機における役物ユニットであって、従動カムの接触面は、直線状に形成されている。
【００２５】
請求項１０に記載の発明によれば、遊技機における役物ユニットにおいて、請求項５と同様の作用効果を得ることができる。
【図面の簡単な説明】
【００２６】
【図１】本発明の実施例１に係るパチンコ機の正面図である。
【図２】図１の役物ユニットの拡大図である。
【図３】図２の斜視図である。
【図４】図３の役物の分解図である。
【図５】図３の分解図である。
【図６】図３の役物ユニットの動作を説明する図であり、動作前の状態を示す図である。
【図７】図６のゼネバ機構の平面模式図である。
【図８】図６のゼネバ機構の底面模式図である。
【図９】図６の役物ユニットの駆動ギヤが回転し始めた状態を説明する図である。
【図１０】図９のゼネバ機構の平面模式図である。
【図１１】図９のゼネバ機構の底面模式図である。
【図１２】図９の役物ユニットの駆動ギヤがさらに回転してロックが解除された状態を説明する図である。
【図１３】図１２のゼネバ機構の平面模式図である。
【図１４】図１２のゼネバ機構の底面模式図である。
【図１５】図１２の役物ユニットの駆動ギヤがさらに回転して役物が回転し始めた状態を説明する図である。
【図１６】図１５のゼネバ機構の平面模式図である。
【図１７】図１５のゼネバ機構の底面模式図である。
【図１８】図１５の役物が中間位置に到達した状態を説明する図である。
【図１９】図１８のゼネバ機構の平面模式図である。
【図２０】図１８のゼネバ機構の底面模式図である。
【図２１】図１８の役物ユニットの駆動ギヤがさらに回転している状態を説明する図である。
【図２２】図２１のゼネバ機構の平面模式図である。
【図２３】図２１のゼネバ機構の底面模式図である。
【図２４】図２１の役物の動作が完了した状態を説明する図である。
【図２５】図２４のゼネバ機構の平面模式図である。
【図２６】図２４のゼネバ機構の底面模式図である。
【図２７】本発明の実施例２に係るパチンコ機の正面図である。
【図２８】図２７の役物ユニットの拡大図である。
【図２９】図２８の斜視図である。
【図３０】図２９の役物の分解図である。
【図３１】図２９の分解図である。
【図３２】図２９の役物ユニットの動作を説明する図であり、動作前の状態を示す図である。
【図３３】図３２のゼネバ機構の平面模式図である。
【図３４】図３２のゼネバ機構の底面模式図である。
【図３５】図３２の役物ユニットの駆動ギヤが回転し始めた状態を説明する図である。
【図３６】図３５のゼネバ機構の平面模式図である。
【図３７】図３５のゼネバ機構の底面模式図である。
【図３８】図３５の役物ユニットの駆動ギヤがさらに回転してロックが解除された状態を説明する図である。
【図３９】図３８のゼネバ機構の平面模式図である。
【図４０】図３８のゼネバ機構の底面模式図である。
【図４１】図３８の役物ユニットの駆動ギヤがさらに回転して役物が回転し始めた状態を説明する図である。
【図４２】図４１のゼネバ機構の平面模式図である。
【図４３】図４１のゼネバ機構の底面模式図である。
【図４４】図４１の役物が中間位置に到達した状態を説明する図である。
【図４５】図４４のゼネバ機構の平面模式図である。
【図４６】図４４のゼネバ機構の底面模式図である。
【図４７】図４４の役物ユニットの駆動ギヤがさらに回転している状態を説明する図である。
【図４８】図４７のゼネバ機構の平面模式図である。
【図４９】図４７のゼネバ機構の底面模式図である。
【図５０】図４７の役物の動作が完了した状態を説明する図である。
【図５１】図５０のゼネバ機構の平面模式図である。
【図５２】図５０のゼネバ機構の底面模式図である。
【発明を実施するための形態】
【００２７】
以下、本発明を実施するための形態を、図面を用いて説明する。なお、以下の説明にあたって、「遊技機」が「パチンコ機１」である形態を説明する。また、以下の説明にあたって、「従動体」と「駆動体」が「従動ギヤ」と「駆動ギヤ」である形態を説明する。このことは、後述する実施例２においても同様である。
【００２８】
（実施例１）
まず、本発明の実施例１を、図１〜２６を用いて説明する。はじめに、図１を参照して、本発明の実施例１に係るパチンコ機１の全体構成を説明する。
【００２９】
このパチンコ機１は、主として、遊技島のベース（いずれも図示しない）に組み付けられる外枠１０と、この外枠１０に対して開閉可能にヒンジ結合される内枠（図示しない）と、この内枠に対して開閉可能にヒンジ結合されるガラス枠１４とから構成されている。この内枠には、液晶パネル（図示しない）を有する遊技盤１６が組み付けられている。この遊技盤１６には、大当たりの抽選中における液晶パネルの演出効果を高めるための役物ユニット２が設けられている。
【００３０】
ここで、図２〜５を参照して、この役物ユニット２について詳述する。この役物ユニット２は、ゼネバ機構２０と、役物６０と、ステッピングモータ７０と、から構成されている。以下に、これらゼネバ機構２０と、役物６０と、ステッピングモータ７０と、を個別に説明していく。
【００３１】
はじめに、図５、７〜８を参照して、ゼネバ機構２０から説明する。このゼネバ機構２０は、主として、開口３０ａを有し内部に空間を有する矩形状のベース３０と、駆動ギヤ４０と、従動ギヤ５０とから構成されている。このベース３０には、その上面の板厚を貫通する貫通孔３０ｂが形成されている。このベース３０の上面には、４本のビスＢ１を介して、軸受カバー３２が組み付けられている。
【００３２】
この軸受カバー３２にも、ベース３０の貫通孔３０ｂに対応するように、貫通孔３２ａが形成されている。一方、このベース３０には、その開口３０ａを覆うように、４本のビスＢ２を介して、蓋カバー３４が組み付けられている。この蓋カバー３４にも、ベース３０の貫通孔３０ｂに対応するように、貫通孔３４ａが形成されている。
【００３３】
なお、従動ギヤ５０は、後述する役物６０の回転軸６０ａに組み付けられるため、後述する役物６０の説明において併せて説明することとする。これと同様に、駆動ギヤ４０は、後述するステッピングモータ７０の駆動軸７０ａに組み付けられるため、後述するステッピングモータ７０の説明において併せて説明することとする。
【００３４】
次に、役物６０を説明する。この役物６０は、例えば、図柄「Ａ」が付された第１の半割体６２と、例えば、図柄「Ｂ」が付された第２の半割体６４とを、４本のビスＢ３を介して組み合わせることで構成されている（図４〜５参照）。このように２個の半割体６２、６４を組み合わせると、図５に示すように、回転軸６０ａが形成されることとなる。なお、この２個の半割体６２、６４を組み合わせるとき、その内部には、ＬＥＤ等（図示しない）を有する基盤６６が挟み込まれている（図４参照）。
【００３５】
この基盤６６は、フラットケーブル６６ａを介して、パチンコ機１の制御装置（図示しない）に電気的に接続されている。そのため、この役物６０の図柄「Ａ」や「Ｂ」を制御装置のプログラムに応じて任意に点灯させることができる。このように構成された役物６０は、その回転軸６０ａがブッシュ６０ｂを介して軸受カバー３２の貫通孔３２ａに対して挿し込まれる格好で組み付けられている。これにより、ベース３０に対して役物６０を回転させることができる。
【００３６】
また、このように組み付けられていると、フラットケーブル６６ａを後述する従動ギヤ５０の貫通孔５０ａ、ベース３０の貫通孔３０ｂおよび蓋カバー３４の貫通孔３４ａに貫通させることができる。そのため、役物６０に対する電源や電気信号を供給する配索ルートの見栄えを向上させることができる。このように組み付けられた役物６０の回転軸６０ａには、２本のビスＢ４を介して、従動ギヤ５０が組み付けられている（固着されている）。
【００３７】
この従動ギヤ５０には、その軸方向に貫通する貫通孔５０ａが形成されている。これにより、上述したように、フラットケーブル６６ａを貫通孔５０ａに貫通させることができる。また、この従動ギヤ５０には、複数の歯５２ａから成る歯群５２が形成されている（図５、７〜８参照）。また、この従動ギヤ５０には、凹状の円弧を成す接触面５６ａを有する従動カム５６が向かい合うように２個形成されている。なお、この接触面５６ａには、その円弧ラインに対して凹んだ窪み５６ｂが周方向の中央に形成されている。
【００３８】
この記載が、特許請求の範囲に記載の「従動カムの接触面における周方向において、その両縁を除いた中央部は、駆動カムの円弧面が接触することがないように窪み状に形成されている」に相当する。なお、この歯群５２のうち、従動カム５６、５６が形成されている部位は、歯５２ａが１つのみ存在する空隙５４となっている（歯５２ａが飛んだ状態となっている）。この空隙５４における歯５２ａを説明の便宜上、歯５２ｂと記すこととする。
【００３９】
最後に、図５を参照して、ステッピングモータ７０を説明する。このステッピングモータ７０は、公知のものであり、２本のビスＢ５を介して、ベース３０の内面に組み付けられている。このステッピングモータ７０の駆動軸７０ａは、ベース３０の上面の板厚を貫通する格好となっている。この貫通した駆動軸７０ａには、駆動ギヤ４０が組み付けられている（固着されている）この駆動ギヤ４０には、複数の歯４２ａから成る歯群４２が形成されている（図５、７〜８参照）。
【００４０】
また、この駆動ギヤ４０には、凸状の円弧面４６ａを有する扇状の駆動カム４６が形成されている。なお、この円弧面４６ａの円弧ラインは、上述した従動カム５６の接触面５６ａの円弧ラインに対して一致するように設定されている。なお、この歯群４２のうち、駆動カム４６が形成されている部位は、歯４２ａが存在しない空隙４４となっている。また、この空隙４４における両側の歯４２ａを説明の便宜上、歯４２ｂと記すこととする。
【００４１】
そして、これら駆動ギヤ４０と従動ギヤ５０とは、上述したようにステッピングモータ７０の駆動軸７０ａと役物６０の回転軸６０ａとに組み付けられると、互いの歯群４２、５２が噛み合い可能となっていると共に、互いの円弧面４６ａと接触面５６ａとが接触可能となっている。これにより、互いの円弧面４６ａと接触面５６ａとが接触すると、駆動ギヤ４０の回転に対して従動ギヤ５０は間欠に回転することとなる。いわゆる、公知のゼネバ動作することとなる。
【００４２】
なお、これらの円弧面４６ａと接触面５６ａとは、その接触時において、従動ギヤ５０のバックラッシュを確実に防ぐために、その周方向の接触距離が長くなるように形成されている。また、これら駆動ギヤ４０と従動ギヤ５０との回転比は、２：１となっている。すなわち、駆動ギヤ４０が１回転すると、従動ギヤ５０が１／２回転することとなる。なお、このステッピングモータ７０も、ケーブル（図示しない）を介して、パチンコ機１の制御装置に電気的に接続されている。
【００４３】
そのため、このステッピングモータ７０を制御装置のプログラムに応じて任意に駆動、停止させることができる。このステッピングモータ７０が、特許請求の範囲に記載の「駆動手段」に相当する。これらゼネバ機構２０と、役物６０と、ステッピングモータ７０と、から役物ユニット２は構成されている。
【００４４】
続いて、図６〜２６を参照して、上述した役物ユニット２の動作を説明する。この説明にあたって、役物６０が図柄「Ａ」を表示している状態（図６〜８参照）から説明していく。なお、この状態では、図６から明らかなように、ステッピングモータ７０は停止した状態となっている。
【００４５】
また、この状態では、図７から明らかなように、駆動ギヤ４０の駆動カム４６の円弧面４６ａと従動ギヤ５０の従動カム５６の接触面５６ａとが接触した状態となっている。そのため、この状態では、役物６０はロック状態となっている。また、この状態では、図８から明らかなように、駆動ギヤ４０の空隙４４の周方向の中央に従動ギヤ５０の歯群５２の歯５２ｂが位置している状態となっている。
【００４６】
この図６〜８に示す状態から、ステッピングモータ７０を駆動させる作業を行う。すると、図９〜１１に示すように、駆動ギヤ４０が矢印方向に回転する。このとき、未だ、駆動ギヤ４０の駆動カム４６の円弧面４６ａと従動ギヤ５０の従動カム５６の接触面５６ａとが接触した状態となっている。そのため、この状態では、役物６０はロック状態のままとなっている。
【００４７】
この図９〜１１に示す状態から、引き続き、ステッピングモータ７０を駆動させる作業を行う。すると、図１２〜１４に示すように、駆動ギヤ４０の駆動カム４６の円弧面４６ａが従動ギヤ５０の従動カム５６の接触面５６ａから離脱した状態となる。そのため、この状態になると、役物６０はロック解除状態となる。
【００４８】
この図１２〜１４に示す状態から、引き続き、ステッピングモータ７０を駆動させる作業を行う。すると、図１５〜１７に示すように、駆動ギヤ４０の歯群４２の歯４２ｂが従動ギヤ５０の歯群５２の歯５２ｂに接触する（噛み合う）。このとき、従動ギヤ５０の従動カム５６の接触面５６ａに窪み５６ｂが形成されているため、この従動カム５６に駆動ギヤ４０の駆動カム４６の円弧面４６ａの端４６ｂが干渉することがない（図１６参照）。これにより、従動ギヤ５０も矢印方向に回転し始める。したがって、役物６０も矢印方向に回転し始める。
【００４９】
この図１５〜１７に示す状態から、引き続き、ステッピングモータ７０を駆動させる作業を行う。すると、図１８〜２０に示すように、引き続き、駆動ギヤ４０も矢印方向に回転すると共に、従動ギヤ５０も矢印方向に回転する。したがって、役物６０も矢印方向に回転する。なお、この図１８〜２０に示す状態では、駆動ギヤ４０は１／２回転した状態であり、従動ギヤ５０は１／４回転した状態であり、役物６０も１／４回転した状態である。
【００５０】
この図１８〜２０に示す状態から、引き続き、ステッピングモータ７０を駆動させる作業を行う。すると、図２２に示すように、駆動ギヤ４０の駆動カム４６の円弧面４６ａと従動ギヤ５０の従動カム５６の接触面５６ａとが接触し始める。そのため、図２１に示すように、役物６０はロック状態に戻される。すなわち、役物６０は、１／２回転した図柄「Ｂ」を表示している状態となりロック状態に戻される。なお、このとき、図２３に示すように、従動ギヤ５０の歯群５２の歯５２ｂが駆動ギヤ４０の空隙４４に到達したため、以降において、ステッピングモータ７０が駆動しても従動ギヤ５０が回転することがない（駆動ギヤ４０が空回転する）。
【００５１】
この図２１〜２３に示す状態から、引き続き、ステッピングモータ７０を駆動させる作業を行う。すると、駆動ギヤ４０は１回転するため、制御装置のプログラムまたはリミットスイッチ（図示しない）の検出によって、ステッピングモータ７０は停止する（図２４〜２６参照）。このとき駆動ギヤ４０の駆動カム４６の円弧面４６ａと従動ギヤ５０の従動カム５６の接触面５６ａとの周方向の接触距離が長くなっているため、従動ギヤ５０のロック、すなわち、役物６０のロックは強固なものとなっている。
【００５２】
なお、この図２４〜２６に示す状態から、ステッピングモータ７０を逆回転に駆動させる作業を行うと、上述した説明と逆の動作が行われる。これにより、図柄「Ｂ」を表示している状態から図柄「Ａ」を表示している状態に役物６０を戻すことができる。
【００５３】
本発明の実施例１に係るパチンコ機１は、上述したように構成されている。この構成によれば、このパチンコ機１の遊技盤１６には、役物ユニット２が設けられている。この役物ユニット２は、ゼネバ機構２０と、役物６０と、ステッピングモータ７０と、から構成されている。このゼネバ機構２０は、主として、開口３０ａを有し内部に空間を有する矩形状のベース３０と、駆動ギヤ４０と、従動ギヤ５０とから構成されている。この従動ギヤ５０には、凹状の接触面５６ａを有する従動カム５６が形成されている。この駆動ギヤ４０の円弧面４６ａと従動ギヤ５０の接触面５６ａとは、その周方向の距離が長く一致するように形成されている。そのため、従動ギヤ５０のバックラッシュを確実に防ぐことができる。また、この従動ギヤ５０の接触面５６ａには、その円弧ラインに対して凹んだ窪み５６ｂが周方向の中央に形成されている。そのため、駆動ギヤ４０の駆動カム４６の円弧面４６ａが従動ギヤ５０の従動カム５６の接触面５６ａから離脱した後でも、この従動カム５６に駆動ギヤ４０の駆動カム４６の円弧面４６ａの端４６ｂが干渉することがない。したがって、駆動ギヤ４０の歯群４２の歯４２ｂが従動ギヤ５０の歯群５２の歯５２ｂに接触すると（噛み合うと）、直ぐに、従動ギヤ５０も回転し始める。したがって、直ぐに、役物６０を回転させることができる。
【００５４】
また、この構成によれば、駆動ギヤ４０と従動ギヤ５０との回転比は、２：１となっている。すなわち、駆動ギヤ４０が１回転すると、従動ギヤ５０が１／２回転することとなる。そのため、駆動ギヤ４０より従動ギヤ５０の外径を大きくできる。
【００５５】
また、この構成によれば、従動ギヤ５０には、その軸方向に貫通する貫通孔５０ａが形成されている。これにより、フラットケーブル６６ａを貫通孔５０ａに貫通させることができる。そのため、役物６０に対する電源や電気信号を供給する配索ルートの見栄えを向上させることができる。
【００５６】
また、この構成によれば、従動ギヤ５０の従動カム５６の接触面５６ａは、凹状の円弧を成すように形成されている。そのため、例えば、この従動ギヤ５０の従動カム５６の接触面５６ａが直線状に形成されている場合と比較すると、駆動ギヤ４０の駆動カム４６の円弧面４６ａと従動ギヤ５０の従動カム５６の接触面５６ａとの接触距離を長くできる。したがって、この従動ギヤ５０のバックラッシュをより確実に防ぐことができる。
【００５７】
（実施例２）
次に、本発明の実施例２を、図２７〜５２を用いて説明する。この実施例２のパチンコ機１０１は、既に説明した実施例１のパチンコ機１と比較すると、役物１６０の図柄の表記を２種類から４種類に増やした形態である。なお、以下の説明にあたって、実施例１で説明した部材と同一の部材には、図面において、同一符号を付すことで、重複する説明は省略することとする。
【００５８】
このパチンコ機１０１も、主として、遊技島のベース（いずれも図示しない）に組み付けられる外枠１０と、この外枠１０に対して開閉可能にヒンジ結合される内枠（図示しない）と、この内枠に対して開閉可能にヒンジ結合されるガラス枠１４とから構成されている（図２７参照）。この内枠には、液晶パネル（図示しない）を有する遊技盤１６が組み付けられている。この遊技盤１６にも、大当たりの抽選中における液晶パネルの演出効果を高めるための役物ユニット１０２が設けられている。
【００５９】
ここで、図２８〜３１を参照して、この役物ユニット１０２について詳述する。この役物ユニット１０２も、ゼネバ機構１２０と、役物１６０と、ステッピングモータ７０と、から構成されている。以下に、これらゼネバ機構１２０と、役物１６０と、ステッピングモータ７０とのうち、ゼネバ機構１２０と、役物１６０と、を個別に説明していく。
【００６０】
はじめに、図３１、３３〜３４を参照して、ゼネバ機構１２０から説明する。このゼネバ機構１２０も、主として、開口３０ａを有し内部に空間を有する矩形状のベース３０と、駆動ギヤ１４０と、従動ギヤ１５０とから構成されている。この駆動ギヤ１４０を実施例１の駆動ギヤ４０と比較すると、この駆動ギヤ１４０には、凸状の円弧面４６ａを有する扇状の駆動カム４６が向かい合うように２個形成されている（図３３〜３４参照）。
【００６１】
また、この従動ギヤ１５０を実施例１の従動ギヤ５０と比較すると、この従動ギヤ１５０には、凹状の直線を成す接触面５６ａを有する従動カム５６が十字方向に（９０度の等間隔で四方に向けて）４個形成されている。すなわち、従動ギヤ１５０の従動カム５６の接触面５６ａは、凹状の直線を成すように形成されている。なお、この実施例２では、これら駆動ギヤ１４０と従動ギヤ１５０との回転比は、２：１のままであるが、駆動ギヤ１４０が１／２回転すると、従動ギヤ１５０が１／４回転することとなる。
【００６２】
次に、役物１６０を説明する。この役物１６０は、例えば、図柄「１」が付された第１の面板１６２と、例えば、図柄「２」が付された第２の面板１６４と、例えば、図柄「３」が付された第３の面板１６６と、例えば、図柄「４」が付された第４の面板１６８と、第１の側板１７０と、第２の側板１７２とを、８本のビスＢ３を介して組み合わせることで構成されている（図３０〜３１参照）。
【００６３】
なお、これら６枚の板１６２、１６４、１６６、１６８、１７０、１７２を組み合わせるとき、その内部には、基盤６６が組み付けられた基盤取付板１６０ｃが挿入されている。そのため、この役物１６０の図柄「１」や「２」や「３」や「４」も制御装置のプログラムに応じて任意に点灯させることができる。このように構成された役物１６０は、その第１の側板１７０に形成されている回転軸１７０ａがブッシュ６０ｂを介して軸受カバー３２の貫通孔３２ａに対して挿し込まれる格好で組み付けられている。
【００６４】
また、これと同様に、このように構成された役物１６０は、その第２の側板１７２に形成されている回転軸（図示しない）がブッシュ６０ｂ、６０ｂを介して軸受カバー３２の貫通孔３２ａに対して挿し込まれる格好で組み付けられている。これらにより、２つの軸受カバー３２、３２に４本のビスＢ６を介して組み付けられているブラケット１７４に対して役物１６０を両持ち状態で回転させることができる。このように組み付けられた役物１６０の回転軸（図示しない）には、２本のビスＢ４を介して、従動ギヤ１５０が組み付けられている（固着されている）。
【００６５】
続いて、図３２〜５２を参照して、上述した役物ユニット１０２の動作を説明する。この説明にあたって、役物１６０が図柄「１」を表示している状態（図３２〜３４参照）から説明していく。なお、この状態では、図３２から明らかなように、ステッピングモータ７０は停止した状態となっている。
【００６６】
また、この状態では、図３３から明らかなように、駆動ギヤ１４０の駆動カム４６の円弧面４６ａと従動ギヤ１５０の従動カム５６の接触面５６ａとが接触した状態となっている。そのため、この状態では、役物１６０はロック状態となっている。また、この状態では、図３４から明らかなように、駆動ギヤ１４０の空隙４４の周方向の中央に従動ギヤ１５０の歯群５２の歯５２ｂが位置している状態となっている。
【００６７】
この図３２〜３４に示す状態から、ステッピングモータ７０を駆動させる作業を行う。すると、図３５〜３７に示すように、駆動ギヤ１４０が矢印方向に回転する。このとき、未だ、駆動ギヤ１４０の駆動カム４６の円弧面４６ａと従動ギヤ１５０の従動カム５６の接触面５６ａとが接触した状態となっている。そのため、この状態では、役物１６０はロック状態のままとなっている。
【００６８】
この図３５〜３７に示す状態から、引き続き、ステッピングモータ７０を駆動させる作業を行う。すると、図３８〜４０に示すように、駆動ギヤ１４０の駆動カム４６の円弧面４６ａが従動ギヤ１５０の従動カム５６の接触面５６ａから離脱した状態となる。そのため、この状態になると、役物１６０はロック解除状態となる。
【００６９】
この図３８〜４０に示す状態から、引き続き、ステッピングモータ７０を駆動させる作業を行う。すると、図４１〜４３に示すように、駆動ギヤ１４０の歯群４２の歯４２ｂが従動ギヤ１５０の歯群５２の歯５２ｂに接触する（噛み合う）。このとき、従動ギヤ１５０の従動カム５６の接触面５６ａに窪み５６ｂが形成されているため、この従動カム５６に駆動ギヤ１４０の駆動カム４６の円弧面４６ａの端４６ｂが干渉することがない（図４２参照）。これにより、従動ギヤ１５０も矢印方向に回転し始める。したがって、役物１６０も矢印方向に回転し始める。
【００７０】
この図４１〜４３に示す状態から、引き続き、ステッピングモータ７０を駆動させる作業を行う。すると、図４４〜４６に示すように、引き続き、駆動ギヤ１４０も矢印方向に回転すると共に、従動ギヤ１５０も矢印方向に回転する。したがって、役物１６０も矢印方向に回転する。なお、この図４４〜４６に示す状態では、駆動ギヤ１４０は１／４回転した状態であり、従動ギヤ１５０は１／８回転した状態であり、役物１６０も１／８回転した状態である。
【００７１】
この図４４〜４６に示す状態から、引き続き、ステッピングモータ７０を駆動させる作業を行う。すると、図４８に示すように、駆動ギヤ１４０の駆動カム４６の円弧面４６ａと従動ギヤ１５０の従動カム５６の接触面５６ａとが接触し始める。そのため、図４７に示すように、役物１６０はロック状態に戻される。すなわち、役物１６０は、１／４回転した図柄「２」を表示している状態となりロック状態に戻される。なお、このとき、図４９に示すように、従動ギヤ１５０の歯群５２の歯５２ｂが駆動ギヤ１４０の空隙４４に到達したため、以降において、ステッピングモータ７０が駆動しても従動ギヤ１５０が回転することがない（駆動ギヤ１４０が空回転する）。
【００７２】
この図４７〜４９に示す状態から、引き続き、ステッピングモータ７０を駆動させる作業を行う。すると、駆動ギヤ１４０は１／２回転するため、制御装置のプログラムまたはリミットスイッチ（図示しない）の検出によって、ステッピングモータ７０は停止する（図５０〜５２参照）。このとき駆動ギヤ１４０の駆動カム４６の円弧面４６ａと従動ギヤ１５０の従動カム５６の接触面５６ａとの接触箇所が成す角度（図５１において、θ）が大きくなっているため、従動ギヤ１５０のロック、すなわち、役物１６０のロックは強固なものとなっている。
【００７３】
なお、この図５０〜５２に示す状態から、ステッピングモータ７０を逆回転に駆動させる作業を行うと、上述した説明と逆の動作が行われる。これにより、図柄「２」を表示している状態から図柄「１」を表示している状態に役物１６０を戻すことができる。また、この図５０〜５２に示す状態から、ステッピングモータ７０をさらに駆動させる作業を行うと、図柄「２」を表示している状態から図柄「３」を表示している状態に役物１６０を回転させることができる。これと同様に、役物１６０が図柄「３」を表示している状態から、ステッピングモータ７０をさらに駆動させる作業を行うと、図柄「４」を表示している状態に役物１６０を回転させることができる。
【００７４】
本発明の実施例２に係るパチンコ機１０１は、上述したように構成されている。この構成によれば、実施例１と同様の作用効果を得ることができる。
【００７５】
また、この構成によれば、従動ギヤ１５０の従動カム５６の接触面５６ａは、凹状の直線を成すように形成されている。そのため、例えば、この従動ギヤ１５０の従動カム５６の接触面５６ａが円弧状に形成されている場合と比較すると、円弧より直線の方が精度を必要としないため、この接触面５６ａを簡便に形成できる。
【００７６】
上述した内容は、あくまでも本発明の一実施の形態に関するものであって、本発明が上記内容に限定されることを意味するものではない。各実施例では、「遊技機」が「パチンコ機１」である形態を説明した。しかし、これに限定されるものでなく、「遊技機」が「スロットマシーン等」であっても構わない。
【００７７】
また、各実施例では、「従動体」と「駆動体」が「ギヤ」と「ギヤ」とで噛み合う形態を説明した。しかし、これに限定されるものでなく、「従動体」と「駆動体」が「ピン（凹み）」と「凹み（ピン）」とで噛み合う形態であっても構わない。
【００７８】
また、各実施例では、駆動ギヤ４０と従動ギヤ５０との回転比が、２：１となっている形態を説明した。しかし、これに限定されるものでなく、駆動ギヤ４０と従動ギヤ５０との回転比が、ｎ：１となっており、ｎは整数（例えば、ｎ＝３、４、・・・）となっていても構わない。
【符号の説明】
【００７９】
１      パチンコ機（実施例１、遊技機）
２      役物ユニット（実施例１）
３０    ベース
４０    駆動ギヤ（実施例１、駆動体）
４６    駆動カム
４６ａ  円弧面
５０    従動ギヤ（実施例１、従動体）
５０ａ  貫通孔
５６    従動カム
５６ａ  接触面
５６ｂ  窪み
６０    役物（実施例１）
６６ａ  フラットケーブル（ケーブル部材）
７０    ステッピングモータ（駆動手段）
１０１  パチンコ機（実施例２、遊技機）
１０２  役物ユニット（実施例２）
１４０  駆動ギヤ（実施例２、駆動体）
１５０  従動ギヤ（実施例２、従動体）
１６０  役物（実施例２）
【図１】
2015223332.tif 000003
【図２】
2015223332.tif 000004
【図３】
2015223332.tif 000005
【図４】
2015223332.tif 000006
【図５】
2015223332.tif 000007
【図６】
2015223332.tif 000008
【図７】
2015223332.tif 000009
【図８】
2015223332.tif 000010
【図９】
2015223332.tif 000011
【図１０】
2015223332.tif 000012
【図１１】
2015223332.tif 000013
【図１２】
2015223332.tif 000014
【図１３】
2015223332.tif 000015
【図１４】
2015223332.tif 000016
【図１５】
2015223332.tif 000017
【図１６】
2015223332.tif 000018
【図１７】
2015223332.tif 000019
【図１８】
2015223332.tif 000020
【図１９】
2015223332.tif 000021
【図２０】
2015223332.tif 000022
【図２１】
2015223332.tif 000023
【図２２】
2015223332.tif 000024
【図２３】
2015223332.tif 000025
【図２４】
2015223332.tif 000026
【図２５】
2015223332.tif 000027
【図２６】
2015223332.tif 000028
【図２７】
2015223332.tif 000029
【図２８】
2015223332.tif 000030
【図２９】
2015223332.tif 000031
【図３０】
2015223332.tif 000032
【図３１】
2015223332.tif 000033
【図３２】
2015223332.tif 000034
【図３３】
2015223332.tif 000035
【図３４】
2015223332.tif 000036
【図３５】
2015223332.tif 000037
【図３６】
2015223332.tif 000038
【図３７】
2015223332.tif 000039
【図３８】
2015223332.tif 000040
【図３９】
2015223332.tif 000041
【図４０】
2015223332.tif 000042
【図４１】
2015223332.tif 000043
【図４２】
2015223332.tif 000044
【図４３】
2015223332.tif 000045
【図４４】
2015223332.tif 000046
【図４５】
2015223332.tif 000047
【図４６】
2015223332.tif 000048
【図４７】
2015223332.tif 000049
【図４８】
2015223332.tif 000050
【図４９】
2015223332.tif 000051
【図５０】
2015223332.tif 000052
【図５１】
2015223332.tif 000053
【図５２】
2015223332.tif 000054